(57)【要約】      （修正有）【課題】交換可能な電池装置を利用して予備電源として応急照明を提供し、簡単な構造とコストを減少させる発光ダイオード照明灯を提供する。【解決手段】照明本体１１Ａ、電池結合手段１２Ａ及び電源切換制御回路１３Ａを含む。電池結合手段は照明本体の外部側方に設置され、ユーザーは容易に電池装置をその内部に設置でき、また電池装置は随時交換可能な部材であり、電池結合手段に挿入される場合、電源切換制御回路に電気的に接続され、交流電源の電断が発生した場合、電源切換制御回路は電池装置に発光ダイオード照明灯１Ａへの電力を供給させ、応急照明を提供する。【選択図】図１
0003173622.tif 000002
【実用新案登録請求の範囲】
【請求項１】
発光ダイオード照明灯であって、
照明本体と、
前記照明本体の外部側方に設置され、電池装置がその中に設置され、前記電池装置は交換出来る部材である少なくとも一つの電池結合手段と、
前記照明本体内に設置され、交流電源の交流電流或いは前記電池装置の直流電流の受信に用いられる電源切換制御回路と、
前記電源切換制御回路に電気的に接続され、その上に複数の発光ダイオードを設置させる発光ダイオードライトパネルを含み、
前記交流電流が所定の数値より大きい場合、前記電源切換制御回路は受信された前記交流電流を前記発光ダイオードライトパネルへ流して、前記発光ダイオード照明灯を駆動させて第一照明のパラメーターを有する光源を出力させ、前記交流電流が前記所定の数値より小さい場合、前記電源切換制御回路は受信された前記直流電流を前記発光ダイオードライトパネルへ流して、前記発光ダイオード照明灯を駆動させて第二照明のパラメーターを有する光源を出力させる事を特徴とする発光ダイオード照明灯。
【請求項２】
前記電源切換制御回路に電気的に接続され、感知範囲内に人体が進入したかを感知させる人体感応器を更に含み、前記人体感応器が前記感知範囲内への前記人体の進入を感知した場合、人体感応信号を前記電源切換制御回路へ発信させ、前記発光ダイオード照明灯を駆動させて前記第一照明のパラメーターを有する光源を出力させる事を特徴とする、請求項１に記載の発光ダイオード照明灯。
【請求項３】
前記交流電流が前記所定の数値より小さい場合、前記電源切換制御回路は受信された前記直流電流を前記発光ダイオードライトパネルへ流し、前記発光ダイオード照明灯を駆動させて前記第二照明のパラメーターを有する光源の出力を恒久的に保持させる事を特徴とする、請求項１に記載の発光ダイオード照明灯。
【請求項４】
前記第一照明のパラメーターは前記第二照明のパラメーターに相当するか、或いは前記第一照明のパラメーターは前記第二照明のパラメーターとは異なる事を特徴とする、請求項１に記載の発光ダイオード照明灯。
【請求項５】
前記電源切換制御回路と前記交流電源の間には切換スイッチを有し、前記切換スイッチがオフ状態或いは前記交流電源が電断状態にある場合、前記交流電流は前記所定の数値より小さくなる事を特徴とする、請求項１に記載の発光ダイオード照明灯。
【請求項６】
前記第一照明のパラメーターと前記第二照明のパラメーターはそれぞれ第一照明輝度及び第二照明輝度となるか、或いは前記第一照明のパラメーターと前記第二照明のパラメーターはそれぞれ第一照明色温及び第二照明色温となる事を特徴とする、請求項１に記載の発光ダイオード照明灯。
【請求項７】
前記少なくとも一つの電池結合手段は着脱式の電池ベースであるか、或いは非着脱式の電池ベースである事を特徴とする、請求項１に記載の発光ダイオード照明灯。
【請求項８】
前記照明本体は発光ダイオード照明管であり、また前記電池結合手段を収納させる収納空間を有する事を特徴とする、請求項７に記載の発光ダイオード照明灯。
【請求項９】
前記照明本体は発光ダイオード電球であり、上から下へと順に口金、放熱器及び透光カバーを含み、また前記少なくとも一つの電池結合手段は前記放熱器の側方に設置され、ユーザーは容易に前記電池装置を交換出来る事を特徴とする、請求項７に記載の発光ダイオード照明灯。
【請求項１０】
前記電源切換制御回路は前記放熱器内部に設置され、前記放熱器の側方には収納空間を有し、前記電池結合手段を収納させる事を特徴とする、請求項９に記載の発光ダイオード照明灯。
【請求項１１】
前記少なくとも一つの電池結合手段は前記着脱式の電池ベースであり、前記電池装置は環状を呈し、また前記電池装置が前記着脱式の電池ベースに設置された後、前記着脱式の電池ベースは上から下へ前記口金を貫通して前記放熱器の上端部に内設される事を特徴とする、請求項９に記載の発光ダイオード照明灯。
【請求項１２】
発光ダイオード照明灯であって、
照明本体と、
前記照明本体に設置される電池装置と、
前記照明本体内に設置され、交流電源の交流電流或いは電池装置の直流電流の受信に用いられる電源切換制御回路と、
前記電源切換制御回路に電気的に接続され、その上には複数の発光ダイオードを設置させる発光ダイオードライトパネルと、
前記電源切換制御回路に電気的に接続され、感知範囲内へ人体が進入したかを感知させ、前記感知範囲内への前記人体の進入を感知した場合、人体感応信号を前記電源切換制御回路へ発信させる人体感応器を含み、
前記交流電流が所定の数値より大きくなり前記人体感応器が前記人体感応信号を発生させる場合、前記電源切換制御回路は受信された前記交流電流を前記発光ダイオードライトパネルへ流し、前記発光ダイオード照明灯を駆動させて第一照明のパラメーターを有する光源を出力させ、前記交流電流が前記所定の数値より小さい場合、前記電源切換制御回路は受信された前記直流電流を前記発光ダイオードライトパネルへ流し、前記発光ダイオード照明灯を駆動させて第二照明のパラメーターを有する光源を出力させる事を特徴とする発光ダイオード照明灯。
【請求項１３】
前記交流電流が前記所定の数値より小さい場合、前記電源切換制御回路は前記直流電流を前記発光ダイオードライトパネルへ流し、前記発光ダイオード照明灯を駆動させ前記第二照明のパラメーターを有する光源の出力を恒久的に保持させる事を特徴とする、請求項１２に記載の発光ダイオード照明灯。
【請求項１４】
前記第一照明のパラメーターは前記第二照明のパラメーターに相当するか、或いは前記第一照明のパラメーターは前記第二照明のパラメーターとは異なる事を特徴とする、請求項１１に記載の発光ダイオード照明灯。
【請求項１５】
前記電源切換制御回路と前記交流電源の間には切換スイッチを有し、前記切換スイッチがオフ状態或いは前記交流電源が電断状態にある場合は、前記交流電流は前記所定の数値より小さくなる事を特徴とする、請求項１２に記載の発光ダイオード照明灯。
【請求項１６】
前記第一照明のパラメーターと前記第二照明のパラメーターはそれぞれ第一照明輝度及び第二照明輝度であるか、或いは前記第一照明のパラメーターと前記第二照明のパラメーターはそれぞれ第一照明色温及び第二照明色温である事を特徴とする、請求項１２に記載の発光ダイオード照明灯。
【請求項１７】
前記電池装置は交換出来る部材である事を特徴とする、請求項１２に記載の発光ダイオード照明灯。
【請求項１８】
前記照明本体は発光ダイオード照明管であり、収納空間を設置させ、ユーザーは容易に前記電池装置をその内部へ換装できる事を特徴とする、請求項１７に記載の発光ダイオード照明灯。
【請求項１９】
前記照明本体は発光ダイオード電球であり、上から下へと順に口金、放熱器及び透光カバーを含み、前記電源切換制御回路は前記放熱器内部に設置され、また前記放熱器の側壁には少なくとも一つの収納空間を設置させ、ユーザーは容易に前記電池装置をその内部へ換装できる事を特徴とする、請求項１７に記載の発光ダイオード照明灯。
【請求項２０】
前記照明本体は発光ダイオード電球であり、上から下へと順に口金、放熱器及び透光カバーを含み、また前記電池装置は環状を呈し、上から下へ前記口金を貫通して前記放熱器の上端部に内設される事を特徴とする、請求項１７に記載の発光ダイオード照明灯。
【請求項２１】
発光ダイオード照明灯であって、
照明本体と、
前記照明本体内に設置され、その上には複数の発光ダイオードを設置させる発光ダイオードライトパネルと、
前記照明本体の外部側方に設置され、電池装置をその中に設置させ、前記電池装置は交換出来る部材である少なくとも一つの電池結合手段と、
前記照明本体上に設置され、感知範囲内に人体の進入があるかを感知させ、前記人体の前記感知範囲内への進入を感知した場合に人体感応信号を発生させる人体感応器と、
前記照明本体内に設置され、交流電源と、前記少なくとも一つの電池結合手段及び前記発光ダイオードライトパネルに電気的に接続され、受信された前記交流電源の交流電流及び受信された前記電池装置の直流電流の内の何れか一つを前記発光ダイオードライトパネルへ伝送させる電源切換制御回路を含む事を特徴とする発光ダイオード照明灯。
【請求項２２】
前記少なくとも一つの電池結合手段は着脱式の電池ベースか、或いは非着脱式の電池ベースである事を特徴とする、請求項２１に記載の発光ダイオード照明灯。
【請求項２３】
前記電池装置は蓄電池、リチウム電池、乾電池或いは充電電池である事を特徴とする、請求項２２に記載の発光ダイオード照明灯。
【請求項２４】
前記電源切換制御回路は第一電源入力端、第二電源入力端及び電源出力端を有し、前記第一電源入力端は前記少なくとも一つの電池結合手段に電気的に接続され、前記第二電源入力端は前記交流電源に電気的に接続され、前記電源出力端は前記発光ダイオードライトパネルに電気的に接続される事を特徴とする、請求項２２に記載の発光ダイオード照明灯。
【請求項２５】
前記照明本体は発光ダイオード照明管であり、前記電池結合手段を収納させる収納空間を有する事を特徴とする、請求項２４に記載の発光ダイオード照明灯。
【請求項２６】
前記発光ダイオード照明管の主体は円柱形状を呈し、その下半部は透光カバーであり、その両端には電源挿入ピンを設置させ、また前記電源挿入ピンは前記第二電源入力端に電気的に接続される事を特徴とする、請求項２５に記載の発光ダイオード照明灯。
【請求項２７】
前記電池結合手段は前記着脱式の電池ベースで、電源コネクトラインを設置させ、前記収納空間内には電源コネクトポートを設置させ、また前記着脱式の電池ベースが前記収納空間に挿入される場合、前記電源コネクトポートは前記電源コネクトラインと前記第一電源入力端の間に電気的に接続されるか、或いは前記着脱式の電池ベースは電源接触ピンを設置させて、前記収納空間内には電極端を設置させ、また前記着脱式の電池ベースが前記収納空間に挿入される場合、前記電極端は前記電源接触ピンと前記第一電源入力端の間に電気的に接続される事を特徴とする、請求項２５に記載の発光ダイオード照明灯。
【請求項２８】
前記収納空間は前記照明本体の上半部に設置される事を特徴とする、請求項２５に記載の発光ダイオード照明灯。
【請求項２９】
前記電池結合手段の開口部に係合される蓋を更に含む事を特徴とする、請求項２５に記載の発光ダイオード照明灯。
【請求項３０】
前記人体感応器は前記発光ダイオード照明管の下半部に設置される事を特徴とする、請求項２５に記載の発光ダイオード照明灯。
【請求項３１】
前記照明本体は発光ダイオード電球であり、上から下へと順に口金、放熱器及び透光カバーを含み、また前記電池結合手段は前記放熱器に設置される事を特徴とする、請求項２４に記載の発光ダイオード照明灯。
【請求項３２】
前記電源切換制御回路は前記放熱器内部に設置される事を特徴とする、請求項３１に記載の発光ダイオード照明灯。
【請求項３３】
前記放熱器の側壁には複数の放熱翼片が設置される事を特徴とする、請求項３１に記載の発光ダイオード照明灯。
【請求項３４】
前記人体感応器は前記透光カバーの底部に設置される事を特徴とする、請求項３１に記載の発光ダイオード照明灯。
【請求項３５】
前記口金の口金電極は前記第二電源入力端に電気的に接続される事を特徴とする、請求項３１に記載の発光ダイオード照明灯。
【請求項３６】
前記放熱器の側方には収納空間を有し、前記電池結合手段を収納させる事を特徴とする、請求項３１に記載の発光ダイオード照明灯。
【請求項３７】
前記電池結合手段は前記着脱式の電池ベースであり、その頭部及び底部には係合爪と位置決め槽をそれぞれを設置させ、前記収納空間の頭部及び底部には係合部及び位置決め片をそれぞれを設置させ、前記着脱式の電池ベースが前記収納空間に挿入される場合、前記着脱式の電池ベースの前記係合爪は前記収納空間の前記係合部に係合され、前記収納空間の前記位置決め片は前記着脱式の電池ベースの位置決め槽内に挿入される事を特徴とする、請求項３６に記載の発光ダイオード照明灯。
【請求項３８】
前記電池結合手段は前記着脱式の電池ベースであり、電源接触ピンを設置させ、前記収納空間内には電極端を設置させ、前記着脱式の電池ベースが前記収納空間に挿入される場合、前記電極端は前記電源接触ピンと前記第一電源入力端の間に電気的に接続される事を特徴とする、請求項３６に記載の発光ダイオード照明灯。
【請求項３９】
前記電池結合手段の開口部に係合される蓋を更に含むことを特徴とする、請求項３６に記載の発光ダイオード照明灯。
【請求項４０】
前記少なくとも一つの電池結合手段は前記着脱式の電池ベースであり、前記電池装置は環状を呈し、前記電池装置が前記着脱式の電池ベースに設置された後、前記着脱式の電池ベースは上から下へ前記口金を貫通して前記放熱器の上端部に内設される事を特徴とする、請求項３１に記載の発光ダイオード照明灯。
【請求項４１】
前記口金の下端部には少なくとも一つの嵌合部を設置させ、前記着脱式の電池ベースが前記放熱器の上端部に内設される場合、前記着脱式の電池ベースの上端部は前記口金の前記少なくとも一つの嵌合部に嵌合され、前記着脱式の電池ベースの下端部は前記放熱器の上端部に当接される事を特徴とする、請求項４０に記載の発光ダイオード照明灯。
【請求項４２】
前記電池結合手段は電源接触ピンを設置させ、前記収納空間内には電極端を設置させ、前記着脱式の電池ベースが前記収納空間に挿入される場合、前記電極端は前記電源接触ピンと前記第一電源入力端の間に電気的に接続される事を特徴とする、請求項４０に記載の発光ダイオード照明灯。
【考案の詳細な説明】
【技術分野】
【０００１】
本考案は、発光ダイオード照明技術に関し、より詳しくは、ユーザーが電池装置を随時交換可能な発光ダイオード照明灯に関する。
【背景技術】
【０００２】
従来の技術では、照明を提供する発光ダイオード照明灯は発光ダイオード照明管と発光ダイオード電球等の種類を含み、発光ダイオード電球を例にとると、上から下へ順に口金、放熱器、発光ダイオードライトパネル及び透光カバーを設置させる。発光ダイオードライトパネルは複数の発光ダイオード照明を設置させ、発光ダイオード電球内には電源制御回路を設置させ、発光ダイオード電球が口金を貫通しランプソケットに螺接される場合、発光ダイオード電球を都市電力へ接続させて、都市の提供する電源の供給を受けさせる。
【考案の概要】
【考案が解決しようとする課題】
【０００３】
しかしながら、前述した従来の技術では、電断の場合、都市電力を発光ダイオード電球或いは発光ダイオード照明管へ供給出来ず、発光ダイオード電球或いは発光ダイオード照明管は照明を供給出来なくなり、特に電断の状況下では、一般の発光ダイオード電球或いは発光ダイオード照明管は応急照明をも供給できなくなるといった問題があった。
【０００４】
このほか、ビルや道路等の場所に既に普遍的に使用されている応急感応照明にとっては、電源を内蔵しているとはいえ、一般的な方法では電源を応急照明内へ固定するため、ユーザーにとっては、この種の応急照明内へ固定される固定式電源は着脱出来ないため、ユーザーは変換或いは交換も行えず、上述の従来の発光ダイオード照明灯の構造は、改善の必要がある。
【０００５】
本考案は、このような従来の問題に鑑みてなされたものである。上記課題解決のため、本考案は、交換可能な電池装置を利用して予備電源とする事で応急照明を提供させ、構造の簡略化とコストの減少を達成させる発光ダイオード照明灯を提供することを主目的とする。
【０００６】
また、本考案は、人体感応器を有し、電池装置を予備電源とする事で応急照明を提供させ、省電力効果を達成させる発光ダイオード照明灯を提供することを第２の目的とする。
【課題を解決するための手段】
【０００７】
上述した課題を解決し、目的を達成するために、好ましい実施形態では、本考案に係る発光ダイオード照明灯は、
照明本体と、
照明本体の外部側方に設置され、電池装置がその中に設置され、電池装置は交換出来る部材である少なくとも一つの電池結合手段と、
照明本体内に設置され、交流電源の交流電流或いは電池装置の直流電流の受信に用いられる電源切換制御回路と、
電源切換制御回路に電気的に接続され、その上に複数の発光ダイオードを設置させる発光ダイオードライトパネルを含み、
交流電流が所定の数値より大きい場合、電源切換制御回路は受信された交流電流を発光ダイオードライトパネルへ流して、発光ダイオード照明灯を駆動させて第一照明のパラメーターを有する光源を出力させ、交流電流が所定の数値より小さい場合、電源切換制御回路は受信された直流電流を発光ダイオードライトパネルへ流して、発光ダイオード照明灯を駆動させて第二照明のパラメーターを有する光源を出力させることを特徴とする。
【０００８】
好ましい実施形態では、本考案に係る発光ダイオード照明灯は、電源切換制御回路に電気的に接続され、感知範囲内に人体が進入したかを感知させる人体感応器を更に含み、人体感応器が感知範囲内への人体の進入を感知した場合、人体感応信号を電源切換制御回路へ発信させ、発光ダイオード照明灯を駆動させて第一照明のパラメーターを有する光源を出力させることを特徴とする。
【０００９】
好ましい実施形態では、本考案に係る発光ダイオード照明灯は、交流電流が所定の数値より小さい場合、電源切換制御回路は受信された直流電流を発光ダイオードライトパネルへ流し、発光ダイオード照明灯を駆動させて第二照明のパラメーターを有する光源の出力を恒久的に保持させる。
【００１０】
好ましい実施形態では、本考案に係る発光ダイオード照明灯は、第一照明のパラメーターは第二照明のパラメーターに相当するか、或いは第一照明のパラメーターは第二照明のパラメーターとは異なることを特徴とする。
【００１１】
好ましい実施形態では、本考案に係る発光ダイオード照明灯は、電源切換制御回路と交流電源の間には切換スイッチを有し、切換スイッチがオフ状態或いは交流電源が電断状態にある場合、交流電流は所定の数値より小さくなることを特徴とする。
【００１２】
好ましい実施形態では、本考案に係る発光ダイオード照明灯は、第一照明のパラメーターと第二照明のパラメーターはそれぞれ第一照明輝度及び第二照明輝度となるか、或いは第一照明のパラメーターと第二照明のパラメーターはそれぞれ第一照明色温及び第二照明色温となることを特徴とする。
【００１３】
好ましい実施形態では、本考案に係る発光ダイオード照明灯は、少なくとも一つの電池結合手段は着脱式の電池ベースであるか、或いは非着脱式の電池ベースであることを特徴とする。
【００１４】
好ましい実施形態では、本考案に係る発光ダイオード照明灯は、照明本体は発光ダイオード照明管であり、また電池結合手段を収納させる収納空間を有することを特徴とする。
【００１５】
好ましい実施形態では、本考案に係る発光ダイオード照明灯は、照明本体は発光ダイオード電球であり、上から下へと順に口金、放熱器及び透光カバーを含み、また少なくとも一つの電池結合手段は放熱器の側方に設置され、ユーザーは容易に電池装置を交換出来ることを特徴とする。
【００１６】
好ましい実施形態では、本考案に係る発光ダイオード照明灯は、電源切換制御回路は放熱器内部に設置され、放熱器の側方には収納空間を有し、電池結合手段を収納させることを特徴とする。
【００１７】
好ましい実施形態では、本考案に係る発光ダイオード照明灯は、少なくとも一つの電池結合手段は着脱式の電池ベースであり、電池装置は環状を呈し、また電池装置が着脱式の電池ベースに設置された後、着脱式の電池ベースは上から下へ口金を貫通して放熱器の上端部に内設されることを特徴とする。
【００１８】
好ましい実施形態では、本考案に係る発光ダイオード照明灯は、
照明本体と、
照明本体に設置される電池装置と、
照明本体内に設置され、交流電源の交流電流或いは電池装置の直流電流の受信に用いられる電源切換制御回路と、
電源切換制御回路に電気的に接続され、その上には複数の発光ダイオードを設置させる発光ダイオードライトパネルと、
電源切換制御回路に電気的に接続され、感知範囲内へ人体が進入したかを感知させ、感知範囲内への人体の進入を感知した場合、人体感応信号を電源切換制御回路へ発信させる人体感応器を含み、
交流電流が所定の数値より大きくなり人体感応器が人体感応信号を発生させる場合、電源切換制御回路は受信された交流電流を発光ダイオードライトパネルへ流し、発光ダイオード照明灯を駆動させて第一照明のパラメーターを有する光源を出力させ、交流電流が所定の数値より小さい場合、電源切換制御回路は受信された直流電流を発光ダイオードライトパネルへ流し、発光ダイオード照明灯を駆動させて第二照明のパラメーターを有する光源を出力させることを特徴とする。
【００１９】
好ましい実施形態では、本考案に係る発光ダイオード照明灯は、交流電流が所定の数値より小さい場合、電源切換制御回路は直流電流を発光ダイオードライトパネルへ流し、発光ダイオード照明灯を駆動させ第二照明のパラメーターを有する光源の出力を恒久的に保持させることを特徴とする。
【００２０】
好ましい実施形態では、本考案に係る発光ダイオード照明灯は、第一照明のパラメーターは第二照明のパラメーターに相当するか、或いは第一照明のパラメーターは第二照明のパラメーターとは異なることを特徴とする。
【００２１】
好ましい実施形態では、本考案に係る発光ダイオード照明灯は、電源切換制御回路と交流電源の間には切換スイッチを有し、切換スイッチがオフ状態或いは交流電源が電断状態にある場合は、交流電流は所定の数値より小さくなることを特徴とする。
【００２２】
好ましい実施形態では、本考案に係る発光ダイオード照明灯は、第一照明のパラメーターと第二照明のパラメーターはそれぞれ第一照明輝度及び第二照明輝度であるか、或いは第一照明のパラメーターと第二照明のパラメーターはそれぞれ第一照明色温及び第二照明色温であることを特徴とする。
【００２３】
好ましい実施形態では、本考案に係る発光ダイオード照明灯は、電池装置は交換出来る部材であることを特徴とする。
【００２４】
好ましい実施形態では、本考案に係る発光ダイオード照明灯は、照明本体は発光ダイオード照明管であり、収納空間を設置させ、ユーザーは容易に電池装置をその内部へ換装できることを特徴とする。
【００２５】
好ましい実施形態では、本考案に係る発光ダイオード照明灯は、照明本体は発光ダイオード電球であり、上から下へと順に口金、放熱器及び透光カバーを含み、電源切換制御回路は放熱器内部に設置され、また放熱器の側壁には少なくとも一つの収納空間を設置させ、ユーザーは容易に電池装置をその内部へ換装できることを特徴とする。
【００２６】
好ましい実施形態では、本考案に係る発光ダイオード照明灯は、照明本体は発光ダイオード電球であり、上から下へと順に口金、放熱器及び透光カバーを含み、また電池装置は環状を呈し、上から下へ口金を貫通して放熱器の上端部に内設されることを特徴とする。
【００２７】
好ましい実施形態では、本考案に係る発光ダイオード照明灯は、
照明本体と、
照明本体内に設置され、その上には複数の発光ダイオードを設置させる発光ダイオードライトパネルと、
照明本体の外部側方に設置され、電池装置をその中に設置させ、電池装置は交換出来る部材である少なくとも一つの電池結合手段と、
照明本体上に設置され、感知範囲内に人体の進入があるかを感知させ、人体の感知範囲内への進入を感知した場合に人体感応信号を発生させる人体感応器と、
照明本体内に設置され、交流電源と、少なくとも一つの電池結合手段及び発光ダイオードライトパネルに電気的に接続され、受信された交流電源の交流電流及び受信された電池装置の直流電流の内の何れか一つを発光ダイオードライトパネルへ伝送させる電源切換制御回路を含むことを特徴とする。
【００２８】
好ましい実施形態では、本考案に係る発光ダイオード照明灯は、少なくとも一つの電池結合手段は着脱式の電池ベースか、或いは非着脱式の電池ベースであることを特徴とする。
【００２９】
好ましい実施形態では、本考案に係る発光ダイオード照明灯は、電池装置は蓄電池、リチウム電池、乾電池或いは充電電池であることを特徴とする。
【００３０】
好ましい実施形態では、本考案に係る発光ダイオード照明灯は、電源切換制御回路は第一電源入力端、第二電源入力端及び電源出力端を有し、第一電源入力端は少なくとも一つの電池結合手段に電気的に接続され、第二電源入力端は交流電源に電気的に接続され、電源出力端は発光ダイオードライトパネルに電気的に接続されることを特徴とする。
【００３１】
好ましい実施形態では、本考案に係る発光ダイオード照明灯は、照明本体は発光ダイオード照明管であり、電池結合手段を収納させる収納空間を有することを特徴とする。
【００３２】
好ましい実施形態では、本考案に係る発光ダイオード照明灯は、発光ダイオード照明管の主体は円柱形状を呈し、その下半部は透光カバーであり、その両端には電源挿入ピンを設置させ、また電源挿入ピンは第二電源入力端に電気的に接続されることを特徴とする。
【００３３】
好ましい実施形態では、本考案に係る発光ダイオード照明灯は、電池結合手段は着脱式の電池ベースで、電源コネクトラインを設置させ、収納空間内には電源コネクトポートを設置させ、また着脱式の電池ベースが収納空間に挿入される場合、電源コネクトポートは電源コネクトラインと第一電源入力端の間に電気的に接続されるか、或いは着脱式の電池ベースは電源接触ピンを設置させて、収納空間内には電極端を設置させ、また着脱式の電池ベースが収納空間に挿入される場合、電極端は電源接触ピンと第一電源入力端の間に電気的に接続されることを特徴とする。
【００３４】
好ましい実施形態では、本考案に係る発光ダイオード照明灯は、収納空間は照明本体の上半部に設置されることを特徴とする。
【００３５】
好ましい実施形態では、本考案に係る発光ダイオード照明灯は、電池結合手段の開口部に係合される蓋を更に含むことを特徴とする。
【００３６】
好ましい実施形態では、本考案に係る発光ダイオード照明灯は、人体感応器は発光ダイオード照明管の下半部に設置されることを特徴とする。
【００３７】
好ましい実施形態では、本考案に係る発光ダイオード照明灯は、照明本体は発光ダイオード電球であり、上から下へと順に口金、放熱器及び透光カバーを含み、また電池結合手段は放熱器に設置されることを特徴とする。
【００３８】
好ましい実施形態では、本考案に係る発光ダイオード照明灯は、電源切換制御回路は放熱器内部に設置されることを特徴とする。
【００３９】
好ましい実施形態では、本考案に係る発光ダイオード照明灯は、放熱器の側壁には複数の放熱翼片が設置されることを特徴とする。
【００４０】
好ましい実施形態では、本考案に係る発光ダイオード照明灯は、人体感応器は透光カバーの底部に設置されることを特徴とする。
【００４１】
好ましい実施形態では、本考案に係る発光ダイオード照明灯は、口金の口金電極は第二電源入力端に電気的に接続されることを特徴とする。
【００４２】
好ましい実施形態では、本考案に係る発光ダイオード照明灯は、放熱器の側方には収納空間を有し、電池結合手段を収納させることを特徴とする。
【００４３】
好ましい実施形態では、本考案に係る発光ダイオード照明灯は、電池結合手段は着脱式の電池ベースであり、その頭部及び底部には係合爪と位置決め槽をそれぞれを設置させ、収納空間の頭部及び底部には係合部及び位置決め片をそれぞれを設置させ、着脱式の電池ベースが収納空間に挿入される場合、着脱式の電池ベースの係合爪は収納空間の係合部に係合され、収納空間の位置決め片は着脱式の電池ベースの位置決め槽内に挿入されることを特徴とする。
【００４４】
好ましい実施形態では、本考案に係る発光ダイオード照明灯は、電池結合手段は着脱式の電池ベースであり、電源接触ピンを設置させ、収納空間内には電極端を設置させ、着脱式の電池ベースが収納空間に挿入される場合、電極端は電源接触ピンと第一電源入力端の間に電気的に接続される。
【００４５】
好ましい実施形態では、本考案に係る発光ダイオード照明灯は、電池結合手段の開口部に係合される蓋を更に含むことを特徴とする。
【００４６】
好ましい実施形態では、本考案に係る発光ダイオード照明灯は、少なくとも一つの電池結合手段は着脱式の電池ベースであり、電池装置は環状を呈し、電池装置が着脱式の電池ベースに設置された後、着脱式の電池ベースは上から下へ口金を貫通して放熱器の上端部に内設されることを特徴とする。
【００４７】
好ましい実施形態では、本考案に係る発光ダイオード照明灯は、口金の下端部には少なくとも一つの嵌合部を設置させ、着脱式の電池ベースが放熱器の上端部に内設される場合、着脱式の電池ベースの上端部は口金の少なくとも一つの嵌合部に嵌合され、着脱式の電池ベースの下端部は放熱器の上端部に当接されることを特徴とする。
【００４８】
好ましい実施形態では、本考案に係る発光ダイオード照明灯は、電池結合手段は電源接触ピンを設置させ、収納空間内には電極端を設置させ、着脱式の電池ベースが収納空間に挿入される場合、電極端は電源接触ピンと第一電源入力端の間に電気的に接続されることを特徴とする。
【考案の効果】
【００４９】
本考案によれば、省電力効果が得られる。
【図面の簡単な説明】
【００５０】
【図１】本考案の第１実施形態による概念のブロック式概略図である。
【図２】本考案の第２実施形態による概念のブロック式概略図である。
【図３】本考案に係る発光ダイオード照明灯の構造改良の好ましい第１実施態様に於ける構造概略図である。
【図４】図３の発光ダイオード照明灯の他の視角からの構造概略図である。
【図５】図３の発光ダイオード照明灯の部分構造の立体分解図である。
【図６】本考案に係る発光ダイオード照明灯の構造改良の好ましい第２実施態様に於ける構造概略図である。
【図７】図６の発光ダイオード照明灯の電池装置が取り外された場合の状態の概略図である。
【図８】図６の発光ダイオード照明灯の着脱式の電池ベースが取り外された場合の状態の概略図である。
【図９】本考案に係る発光ダイオード照明灯の構造改良の好ましい第３実施形態に於ける構造概略図である。
【図１０】図９の発光ダイオード照明灯の立体分解図である。
【考案を実施するための形態】
【００５１】
以下に図面を参照して、本考案を実施するための形態について、詳細に説明する。なお、本考案は、以下に説明する実施形態に限定されるものではない。
まず、本考案の発光ダイオード照明灯の第１実施形態について説明する。
【実施例１】
【００５２】
本考案の実施形態に係る発光ダイオード照明灯は、図１は本考案に係る発光ダイオード照明灯の好ましい第１実施形態の概念のブロック式概略図である。発光ダイオード照明灯１Ａは照明本体１１Ａ、電池結合手段１２Ａ、電源切換制御回路１３Ａ、発光ダイオードライトパネル１４Ａ及び発光ダイオードライトパネル１４Ａ上に設置される複数の発光ダイオード１５Ａを含み、電源切換制御回路１３Ａと発光ダイオードライトパネル１４Ａは照明本体１１Ａ内に設置され、また電源切換制御回路１３Ａは交流電源９Ａ、電池結合手段１２Ａ及び発光ダイオードライトパネル１４Ａに電気的に接続され、電池結合手段１２Ａは電池装置８Ａをその中に設置させ、交流電源９Ａからの交流電流及び電池装置８Ａからの直流電流を電源切換制御回路１３Ａへ伝送させ、電源切換制御回路１３Ａも受信された交流電流及び直流電流の内の何れか一つを発光ダイオードライトパネル１４Ａへ伝送させ、発光ダイオードライトパネル１４Ａ上の複数の発光ダイオード１５Ａを駆動させて光源を出力させる。
【００５３】
好ましくは、電源切換制御回路１３Ａは第一電源入力端１３１Ａ、第二電源入力端１３２Ａ及び電源出力端１３３Ａを有し、第一電源入力端１３１Ａは電池結合手段１２Ａに電気的に接続され、第二電源入力端１３２Ａは交流電源９Ａ  （例えば都市電力）に電気的に接続され、電源出力端１３３Ａは発光ダイオードライトパネル１４Ａに電気的に接続され、これにより電池装置８Ａからの直流電流は電池結合手段１２Ａと第一電源入力端１３１Ａを順に経由した後、電源切換制御回路１３Ａへ流されて、また交流電源からの交流電流は第二電源入力端１３２Ａを経由した後、電源切換制御回路１３Ａへ流されて、電源切換制御回路１３Ａが受信する交流電流及び直流電流の内の何れか一つは皆電源出力端１３３Ａを経由して発光ダイオードライトパネル１４Ａへと流される。
【００５４】
次に、好ましい本実施形態では、電源切換制御回路１３Ａに受信される交流電流が所定の数値より大きい場合、電源切換制御回路１３Ａは受信された交流電流を発光ダイオードライトパネル１４Ａへ流して、発光ダイオード照明灯１Ａを駆動させて第一照明のパラメーターを有する光源を出力させ、電源切換制御回路１３Ａに受信される交流電流が所定の数値より小さい場合、電源切換制御回路１３Ａは受信された直流電流を発光ダイオードライトパネル１４Ａへ流して、発光ダイオード照明灯１Ａを駆動させて第二照明のパラメーターを有する光源を出力させる。
【００５５】
交流電流が発光ダイオードライトパネル１４Ａへ流される前に整流処理を経て直流電流になるか、或いは交流電流が発光ダイオードライトパネル１４Ａへ流された後に整流処理を経て直流電流になる事で、発光ダイオードライトパネル１４Ａ上の複数の発光ダイオード１５Ａを駆動させて光源を出力させる事が出来、これはこの分野で通常知識を有する者にとっては既知の技術であり、ここで更なる詳述はしない。
【００５６】
このほか、切換スイッチ７Ａは交流電源９Ａと電源切換制御回路１３Ａの間に電気的に接続され、電源切換制御回路１３Ａに流される交流電の電流量を制御させ、言うなれば切換スイッチ７Ａがオフ状態にある場合、電源切換制御回路１３Ａに流される交流電の電流量は非常に少なくなる。さらに言えば、好ましい本実施形態では、切換スイッチ７Ａがオフ状態の場合、或いは交流電源９Ａが電断状態にある場合、電源切換制御回路１３Ａに流される交流電の電流量は所定の数値より小さくなるように設計される。
【００５７】
好ましい本実施形態では、第一照明のパラメーターと第二照明のパラメーターはそれぞれ第一照明輝度及び第二照明輝度となるか、或いは第一照明のパラメーターと第二照明のパラメーターはそれぞれ第一照明色温及び第二照明色温となる。詳細には、発光ダイオード照明灯１Ａが交流電流により駆動される場合に出力される光源の照明輝度、及び発光ダイオード照明灯１Ａが直流電流に駆動される場合に出力される光源の照明輝度の、両者の光源の照明輝度が互いに異なる事で、これがもたらす用途の内の一つとして、ユーザーが切換スイッチ７Ａがオフ状態にあるか否か、或いは交流電源９Ａが電断状態にあるか否かを容易に判断できる点があり、即ち、ユーザーは発光ダイオード照明灯１Ａが電池装置８Ａの電力を消費しているか否かを容易に判断出来る。
【００５８】
当然ながら、発光ダイオード照明灯１Ａが交流電流により駆動される場合に出力させる光源の照明色温は、発光ダイオード照明灯１Ａが直流電流により駆動される場合に出力させる光源の照明色温とは、異なる照明色温となるように設計されており、上述の、ユーザーが発光ダイオード照明灯１Ａが電池装置８Ａの電力を消耗しているか否かを容易に判断出来るという目的を達成させる。
【００５９】
当然ながら、上述のものは一つの好ましい実施形態によるものに過ぎず、これに制限されるわけではなく、例えば所定の数値の設定、或いは第一照明のパラメーターと第二照明のパラメーターの定義等は、この分野に習熟する者であれば実際の応用の必要に従ってあらゆる均等な設計の変化を行える。このほか、上述の第一照明のパラメーターは第二照明のパラメーターに相当するか、或いは第一照明のパラメーターは第二照明のパラメーターとは異なる。
次は、本考案の発光ダイオード照明灯の第２実施形態について説明する。
【実施例２】
【００６０】
図２は本考案に係る発光ダイオード照明灯の好ましい第２実施形態の概念のブロック式概略図である。好ましい本実施形態の発光ダイオード照明灯１Ｂは本考案の好ましい第１実施形態で述べるものと類似しており、ここで更なる詳述はしない。
【００６１】
好ましい本実施形態の前述の好ましい第１実施形態との異なる点は、発光ダイオード照明灯１Ｂは人体感応器１６Ｂを更に含み、これは電源切換制御回路１３Ｂに電気的に接続され、感知範囲内に人体の存在があるかを感知させる点であり、人体感応器１６Ｂが人体の感知範囲内への進入を感知した場合、人体感応信号を電源切換制御回路１３Ｂへ発信させる。
【００６２】
好ましい本実施形態の前述の好ましい第１実施形態との他の異なる点は、電源切換制御回路１３Ｂは下述の二つの要件が全て成立する状況下ではじめて受信された交流電流を発光ダイオードライトパネル１４Ｂへ流し、発光ダイオード照明灯１Ｂを駆動させて第一照明のパラメーターを有する光源を出力させる点である。第一の要件は電源切換制御回路１３Ｂに受信される交流電の電流量が所定の数値より大きくなる事であり、第二の要件は人体感応器１６が感知範囲内での人体の存在を感知し人体感応信号を電源切換制御回路１３へ発信する事である。
【００６３】
例えば、交流電源９Ｂが正常に電力を供給し且つ切換スイッチ７Ｂがオン状態にあり、もし人体感応器１６Ｂが感知範囲内の人体の存在を感知しなければ、発光ダイオード照明灯１Ｂは光源を出力させず、省電力効果を達成させ、また、人体感応器１６Ｂが人体の感知範囲内への進入を一旦感知した場合、発光ダイオード照明灯１Ｂは駆動されて第一照明のパラメーターを有する光源を出力させる。
【００６４】
交流電源９Ｂが電断状態にあるか、或いは切換スイッチ７Ｂがオフ状態にある場合、電源切換制御回路１３Ｂは受信された交流電流が所定の数値より小さい為に受信された直流電流を発光ダイオードライトパネル１４Ｂへ流し、発光ダイオード照明灯１Ｂを駆動させて第二照明のパラメーターを有する光源を出力される。
【００６５】
ユーザーが容易に切換スイッチ７Ｂがオフ状態にあるか否かを判断できるように、或いは交流電源が電断状態にあるか否かを判断できるように、若しくはユーザーが発光ダイオード照明灯１Ｂが電池装置８Ｂの電力を消費しているか否かを判断できるように、第一照明のパラメーターを第二照明のパラメーターとは異なる様に設計し、もし第一照明のパラメーターが第二照明のパラメーターに相当するならば、交流電源９Ｂが電断的状態下にあるように設計され、或いは切換スイッチ７Ｂがオフ状態にある場合、電源切換制御回路１３Ｂは直流電流を発光ダイオードライトパネル１４Ｂへ持続的に流し、発光ダイオード照明灯１Ｂに光源の出力を恒久的に保持させる。
【００６６】
ちなみに、上述の好ましい第２実施形態では、電池装置８Ｂは発光ダイオード照明灯１Ｂが製造される前に電池結合手段１２Ｂ内に設置され、ユーザーは自分で着脱と交換を行えない。当然ながら、上述の好ましい第１実施形態と好ましい第２実施形態では、製造後の発光ダイオード照明灯１Ａと発光ダイオード照明灯１Ｂは電池結合手段１２Ａと電池結合手段１２Ｂのみを有するように設計され、電池装置８Ａと電池装置８Ｂは交換出来る部材であり、ユーザーは自ら電池装置８Ａと電池装置８Ｂを発光ダイオード照明灯１Ａと発光ダイオード照明灯１Ｂの電池結合手段１２Ａと電池結合手段１２Ｂに設置させる事が出来る。
【００６７】
また、上述の好ましい第１実施形態と好ましい第２実施形態では、電池結合手段１２Ａと電池結合手段１２Ｂは発光ダイオード照明灯１Ａと発光ダイオード照明灯１Ｂの製造前に照明本体１１Ａと照明本体１１Ｂ内に固設され、ユーザーは自分では電池結合手段１２Ａと電池結合手段１２Ｂの着脱と交換を行えず、但しユーザーは電池装置８Ａと電池装置８Ｂを電池結合手段１２Ａと電池結合手段１２Ｂ内に設置させる事が出来る。
【００６８】
当然、製造後の発光ダイオード照明灯１Ａと発光ダイオード照明灯１Ｂの電池結合手段１２Ａと電池結合手段１２Ｂも交換出来る部材で設計されており、ユーザーは自ら電池装置８Ａと電池装置８Ｂを電池結合手段１２Ａと電池結合手段１２Ｂに結合させた後、共に組み立て発光ダイオード照明灯１Ａと発光ダイオード照明灯１Ｂの照明本体１１Ａと照明本体１１Ｂ内に設置させる事が出来る。
【００６９】
従って、本考案は革新的な発光ダイオード照明灯の構造改良を提供し、主には照明本体１１Ａと照明本体１１Ｂの外部側方に電池結合手段１２Ａと電池結合手段１２Ｂを設置させる収納空間を有し、ユーザーは容易に電池装置８Ａと電池装置８Ｂをその内部へ換装出来、或いは容易に電池装置８Ａと電池装置８Ｂを電池結合手段１２Ａと電池結合手段１２Ｂ中から取り外せる。以下に三つの好ましい実施態様を例に挙げ説明するが、但し本考案の保護範囲はこれらに限られるわけではない。
【００７０】
第１実施態様
図３は本考案に係る発光ダイオード照明灯の構造改良の好ましい第１実施態様に於ける構造概略図であり、図４は図３の発光ダイオード照明灯の他の視角からの構造概略図であり、図５は図３の発光ダイオード照明灯の部分構造の立体分解図である。
【００７１】
本実施態様では、発光ダイオード照明灯１Ｃの照明本体は発光ダイオード照明管１１Ｃであり、電池結合手段は着脱式の電池ベース１２Ｃであり、発光ダイオード照明管１１Ｃは着脱式の電池ベース１２Ｃを収納させる収納空間１１１Ｃを有し、電池装置８Ｃは着脱式の電池ベース１２Ｃ内に設置され、応急電源を提供する。
【００７２】
発光ダイオードライトパネルは発光ダイオード照明管１１Ｃ内に固定され、発光ダイオード照明管１１Ｃの両端には電源挿入ピン１１２Ｃをそれぞれ設置させ、交流電源（例えば都市電力、図示せず、図１と図２参照）との電気的な接続を呈するランプソケット（図示せず）に挿入され、電源切換制御回路（図示せず、図１と図２参照）は発光ダイオードライトパネル（図示せず、図１と図２参照）上に形成され、また着脱式の電池ベース１２Ｃが収納空間１１１Ｃに納置され電池装置８Ｃが着脱式の電池ベース１２Ｃに挿入される場合、着脱式の電池ベース１２Ｃは電源切換制御回路に電気的に接続され、電池装置８Ｃを電源切換制御回路の第一電源入力端（図示せず、図１と図２参照）に電気的に接続させる。
【００７３】
電源切換制御回路の第二電源入力端（図示せず、図１と図２参照）は電源挿入ピン１１２Ｃに電気的に接続され、電源切換制御回路の電源出力端（図示せず、図１と図２参照）は発光ダイオードライトパネルに電気的に接続される。ここでは、電源切換制御回路は第一電源入力端或いは第二電源入力端の通電の切換に用いられ、交流電源（例えば都市電力）或いは電池装置８Ｃに対応して接続される。
【００７４】
交流電源（例えば都市電力）が提供される場合、電源切換制御回路は第二電源入力端により交流電源（例えば都市電力）に接続され、この際交流電源（例えば都市電力）は発光ダイオード照明管１１Ｃに電力を供給し照明を提供させ、決して電池装置８Ｃの電力を使用しない。交流電源（例えば都市電力）が電断或いは切換スイッチ（図示せず、図１と図２参照）がオフ状態を呈する場合、電源切換制御回路は第一電源入力端により電池装置８Ｃに接続され、この際電池装置８Ｃは発光ダイオード照明管１１Ｃへ電力を供給し、応急照明を提供させる。
【００７５】
本実施態様では、電池装置８Ｃは変換出来る部材であり、随時発光ダイオード照明管１１Ｃの着脱式の電池ベース１２Ｃ中から取り外し可能で、随時発光ダイオード照明管１１Ｃの着脱式の電池ベース１２Ｃへ換装可能で、故にユーザーは容易に交換とメンテナンスを行え、また電池装置８Ｃが容易に取り外せて分別回収が行えるため、環境保護の点でも優れている。さらには、電池装置８Ｃは蓄電池、リチウム電池、乾電池或いは充電電池から選択できるため、電池装置８Ｃの汎用性が高く、メンテナンスと交換も手軽になる。
【００７６】
本実施態様では、発光ダイオード照明管１１Ｃは円柱形状であり、下半部は透光カバーであり、発光ダイオードライトパネル上の複数の発光ダイオード（図示せず、図１と図２参照）が提供する光源を外へ向け放射させる。続いて、収納空間１１１Ｃを発光ダイオード照明管１１Ｃの上半部へ設置させる。好ましくは、発光ダイオード照明灯１Ｃは蓋１７Ｃを更に含み、蓋１７Ｃは着脱式の電池ベース１２Ｃの開口部に係合され、電池装置８Ｃが着脱式の電池ベース１２Ｃに収納される場合、発光ダイオード照明管１１Ｃは本来の外観を保持させ、発光ダイオード照明管１１Ｃのランプソケット及び他の相応する付属品を改変させる必要はなく、電池装置８Ｃを保護出来る。
【００７７】
着脱式の電池ベース１２Ｃは電源コネクトライン（図示せず）を設置させ、収納空間１１１Ｃ内には電源コネクトポート（図示せず）を設置させ、これは電源切換制御回路の第一電源入力端に電気的に接続され、着脱式の電池ベース１２Ｃが収納空間１１１Ｃに挿入される場合、電源コネクトラインが電源コネクトポートに挿入される事で着脱式の電池ベース１２Ｃを電源切換制御回路の第一電源入力端に電気的に接続させる。
【００７８】
或いは、着脱式の電池ベース１２Ｃは電源接触ピン（図示せず）を設置させ、収納空間１１１Ｃ内には電極端（図示せず）を設置させ、これは電源切換制御回路の第一電源入力端に電気的に接続され、着脱式の電池ベース１２Ｃが収納空間１１１Ｃに挿入される場合、電源接触ピンは電極端に接触される事で着脱式の電池ベース１２Ｃを電源切換制御回路の第一電源入力端に電気的に接続させる。
【００７９】
このほか、発光ダイオード照明灯１Ｃの人体感応器１６Ｃは、発光ダイオード照明管１１Ｃの下半部の中間位置或いは側方位置に固定される。人体感応器１６Ｃは感知範囲内に人体の進入があるか否かの感知に用いられ、もし感知範囲への人体の進入を感知したら、人体感応信号を電源切換制御回路へ発信させ、発光ダイオード照明管１１Ｃを起動させて照明を提供させる。
【００８０】
ちなみに、上述のものは発光ダイオード照明灯の一実施態様に過ぎず、電池結合手段も非着脱式の電池ベースでもよく、例えば照明本体（発光ダイオード照明管）を電池結合手段（非着脱式の電池ベース）と一体成形させ、ユーザーが自分では電池結合手段を照明本体内から取り出せなくする事も出来る。
【００８１】
第２実施態様
図６は本考案に係る発光ダイオード照明灯の構造改良の好ましい第２実施態様に於ける構造概略図である。本実施態様では、発光ダイオード照明灯１Ｄの照明本体は発光ダイオード電球１１Ｄであり、上から下へと順に口金１１３Ｄ、放熱器１１４Ｄ及び透光カバー１１５Ｄを設置させ、発光ダイオードライトパネル（図示せず、図１と図２参照）と電源切換制御回路（図示せず、図１と図２参照）は発光ダイオード電球内に設置され、口金１１３Ｄは交流電源（例えば都市電力、図示せず、図１と図２参照）との電気的な接続を呈するランプソケット（図示せず）への挿入に用いられる。好ましくは、放熱器１１４Ｄの側壁には複数の放熱翼片１１４１Ｄを更に設置させ、その内部には収納空胴（図示せず）を欠設させ、電源切換制御回路をその中に設置させる。
【００８２】
このほか、放熱器１１４Ｄの側壁には電池結合手段を収納させる収納空間１１１Ｄ（図８参照）を有し、電池結合手段は着脱式の電池ベース１２Ｄであり、電池装置８Ｄをその内部に設置させ、応急電源を提供させ、また、着脱式の電池ベース１２Ｄは局部を放熱器１１４Ｄの外へ露出させる。
【００８３】
本実施態様では、放熱器１１４Ｄの側壁には三つの収納空間１１１Ｄが欠設されて且つ均等に分布され、三個の着脱式の電池ベース１２Ｄの収納に用いられる。当然ながら、収納空間１１１Ｄの数量及び着脱式の電池ベース１２Ｄの数量はこれに限られず、この分野に習熟する者であれば実際の応用の必要に合わせてあらゆる均等な設計の変化を行える。
【００８４】
次に、図６によると、着脱式の電池ベース１２Ｄが収納空間１１１Ｄに納置されると共に電池装置８Ｄが着脱式の電池ベース１２Ｄに挿入される場合、着脱式の電池ベース１２Ｄは電源切換制御回路に電気的に接続され、電池装置８Ｄを電源切換制御回路の第一電源入力端（図示せず、図１と図２参照）に電気的に接続させる。
【００８５】
また、口金１１３Ｄは口金電極（図示せず）を設置させ、電源切換制御回路の第二電源入力端（図示せず、図１と図２参照）に電気的に接続させ、電源切換制御回路の電源出力端（図示せず、図１と図２参照）は発光ダイオードライトパネルに電気的に接続される。ここでは、電源切換制御回路は第一電源入力端或いは第二電源入力端への通電の切換に用いられ、交流電源（例えば都市電力）或いは電池装置８Ｄに対応して接続される。
【００８６】
交流電源（例えば都市電力）が提供される場合、電源切換制御回路は第二電源入力端により交流電源（例えば都市電力）に接続され、この際交流電源（例えば都市電力）は発光ダイオード電球１１Ｄへ電力を供給して照明を提供させ、決して電池装置８Ｄの電力を使用する事はない。交流電源（例えば都市電力）が電断する、或いは切換スイッチ（図示せず、図１と図２参照）がオフ状態を呈する場合は、電源切換制御回路は第一電源入力端により電池装置８Ｄへ接続され、この際電池装置８Ｄは発光ダイオード電球１１Ｄへ電力を供給し応急照明を提供させる。
【００８７】
本実施態様では、電池装置８Ｄは変換出来る部材である。図７は、図６の発光ダイオード照明灯の電池装置が取り外された場合の状態の概略図であり、図７によると電池装置８Ｄは着脱式の電池ベース１２Ｄ中から随時取り外せ、着脱式の電池ベース１２Ｄ中へ随時挿入出来、ユーザーは容易に交換とメンテナンスを行えるようになり、また電池装置８Ｄが容易に取り外せて分別回収が行えるため、環境保護の点でも優れている。さらには、電池装置８Ｄは蓄電池、リチウム電池、乾電池或いは充電電池の内から選択できるため、電池装置８Ｄの汎用性が高く、メンテナンスと交換も手軽になる。
【００８８】
好ましくは、発光ダイオード照明灯１Ｄは、着脱式の電池ベース１２Ｄの開口部に係合される蓋（図示せず）を含み、電池装置８Ｄを着脱式の電池ベース１２Ｄへ収納させる際に、発光ダイオード電球１１Ｄの本来の外観を保持させ、電池装置８Ｄの保護の役目も果たす。
【００８９】
図８は図６の発光ダイオード照明灯の着脱式の電池ベースが取り外された場合の状態の概略図である。本実施態様では、着脱式の電池ベース１２Ｄの頭部には係合爪１２１を設置させ、またその底部には位置決め槽１２２を設置させ、収納空間１１１Ｄの頭部には係合部（図示せず）を設置させ、またその底部には位置決め片１１１１を設置させ、着脱式の電池ベース１２Ｄが収納空間１１１Ｄに挿入される場合、着脱式の電池ベース１２Ｄの係合爪１２１は収納空間１１１Ｄの係合部に係合され、また収納空間１１１Ｄの位置決め片１１１１は着脱式の電池ベース１２Ｄの位置決め槽１２２内に挿入される。
【００９０】
続いて、着脱式の電池ベース１２Ｄは電源接触ピン（図示せず）を設置させ、収納空間１１１Ｄ内には電極端（図示せず）を設置させて、電源切換制御回路の第一電源入力端に電気的に接続させ、着脱式の電池ベース１２Ｄが収納空間１１１Ｄに挿入される場合、電源接触ピンが電極端に接触される事で、着脱式の電池ベース１２Ｄを電源切換制御回路の第一電源入力端に電気的に接続させるため、容易に組み立てと接続が行える。
【００９１】
このほか、発光ダイオード照明灯１Ｄの人体感応器１６Ｄは透光カバー１１５Ｄの底部に設置され、人体感応器１６Ｄは感知範囲内に人体の進入があるか否かの感知に用いられ、もし感知範囲への人体の進入を感知したら、人体感応信号を電源切換制御回路へ発信させ、発光ダイオード電球１１Ｄを起動させて照明を提供させる。
【００９２】
ちなみに、上述のは発光ダイオード照明灯の一実施態様に過ぎず、電池結合手段も非着脱式の電池ベースでもよく、例えば照明本体（発光ダイオード電球）を電池結合手段（非着脱式の電池ベース）と一体成形させる事で、電池結合手段を照明本体内から取り外せなくする。
【実施例３】
【００９３】
図９は本考案に係る発光ダイオード照明灯の構造改良の好ましい第３実施形態の構造概略図であり、図１０は図９の発光ダイオード照明灯の立体分解図である。本実施態様では、発光ダイオード照明灯１Ｅの照明本体は発光ダイオード電球１１Ｅであり、上から下へ順に口金１１３Ｅ、放熱器１１４Ｅ、透光カバー１１５Ｅを設置させ、発光ダイオードライトパネル（図示せず、図１と図２参照）と電源切換制御回路（図示せず、図１と図２参照）は発光ダイオード電球１１Ｅ内に設置され、口金１１３Ｅは交流電源（例えば都市電力、図示せず、図１と図２参照）との電気的な接続を呈するランプソケット（図示せず）への挿入に用いられる。好ましくは、放熱器１１４Ｅの側壁には複数の放熱翼片１１４１Ｅを更に設置させ、その内部には収納空胴（図示せず）を欠設させ、電源切換制御回路をその中に設置させる。
【００９４】
このほか、放熱器１１４Ｅの上端部の周囲の側壁には電池結合手段を収納させる収納空間１１１Ｅを有し、本実施態様では、電池結合手段は着脱式の電池ベース１２Ｅであり、電池装置８Ｅをその内部に設置させ、応急電源を提供させる。また、電池装置８Ｅは着脱式の電池ベース１２Ｅに設置された後、着脱式の電池ベース１２Ｅは上から下へ口金１１３を貫通して放熱器１１４Ｅの上端部に内設されて収納空間１１１Ｅに位置される。
【００９５】
続いて、着脱式の電池ベース１２Ｅが収納空間１１１Ｅに位置されるとともに電池装置８Ｅが着脱式の電池ベース１２Ｅ内に設置される場合、着脱式の電池ベース１２Ｅは電源切換制御回路に電気的に接続され、電池装置８Ｅを電源切換制御回路の第一電源入力端に電気的に接続させる。
【００９６】
口金１１３Ｅは口金電極（図示せず）を設置させ、電源切換制御回路の第二電源入力端に電気的に接続させ、電源切換制御回路の電源出力端は発光ダイオードライトパネルに電気的に接続される。ここでは、電源切換制御回路は第一電源入力端或いは第二電源入力端の通電の切換に用いられ、交流電源（例えば都市電力）或いは電池装置８Ｅに対応して接続される。
【００９７】
交流電源（例えば都市電力）が提供される場合、電源切換制御回路は第二電源入力端により交流電源（例えば都市電力）へ接続され、この際交流電源（例えば都市電力）は発光ダイオード電球１１Ｅへ電力を供給し照明を提供させ、決して電池装置８Ｅの電力を消費する事はない。交流電源（例えば都市電力）が電断する、或いは切換スイッチ（図示せず、図１と図２参照）がオフ状態を呈する場合、電源切換制御回路は第一電源入力端により電池装置８Ｅへ接続され、この際電池装置８Ｅは発光ダイオード電球１１Ｅへ電力を供給し応急照明を提供させる。
【００９８】
本実施態様では、電池装置８Ｅは環状を呈し、変換出来る部材であり、着脱式の電池ベース１２Ｅ中から随時取り外せ、着脱式の電池ベース１２Ｅ中へ随時挿入でき、ユーザーは容易に交換とメンテナンスを行え、また電池装置８Ｅが容易に取り外せて分別回収が行えるため、環境保護の点でも優れている。さらには、電池装置８Ｅは蓄電池、リチウム電池、乾電池或いは充電電池の内から選択できるため、電池装置８Ｅの汎用性が高く、メンテナンスと交換も手軽になる。
【００９９】
本実施態様では、口金１１３Ｅの下端部には少なくとも一つの嵌合部１１３１を設置させ、着脱式の電池ベース１２Ｅが収納空間に位置される場合、着脱式の電池ベース１２Ｅの上端部は口金１１３Ｅの下端部の少なくとも一つの嵌合部１１３１に嵌合され、また着脱式の電池ベース１２Ｅの下端部は放熱器１１４Ｅの上端部に当接され、これにより、着脱式の電池ベース１２Ｅは放熱器１１４Ｅの上端部の収納空間１１１Ｅ中に固定される。
【０１００】
もし着脱式の電池ベース１２Ｅを発光ダイオード電球１１Ｅ上から取り外す場合は、着脱式の電池ベース１２Ｅを下から上へと押す事で、着脱式の電池ベース１２Ｅの上端部が口金１１３Ｅ下端部の嵌合部１１３１から外れ、着脱式の電池ベース１２Ｅを取り外せる。このように、着脱式の電池ベース１２Ｅの組み立てと着脱は簡単であり、容易且つ迅速に行え、発光ダイオード電球１１Ｅは電池装置８Ｅの素早い交換が可能となる。
【０１０１】
さらには、着脱式の電池ベース１２Ｅは電源接触ピン（図示せず）を設置させ、収納空間１１１Ｅは電極端（図示せず）を設置させて、電源切換制御回路の第一電源入力端に電気的に接続させ、着脱式の電池ベース１２Ｅが収納空間１１１Ｅに収納される場合、電源接触ピンが電極端に接触される事で、着脱式の電池ベース１２Ｅを電源切換制御回路の第一電源入力端に電気的に接続させるため、容易に組み立てと接続が行える。
【０１０２】
このほか、発光ダイオード照明灯１Ｅの人体感応器１６Ｅは透光カバー１１５Ｅの底部に設置され、人体感応器１６Ｅは感知範囲に人体の進入があるか否かの感知に用いられ、もし感知範囲への人体の進入を感知したら、人体感応信号を電源切換制御回路へ発信させ、発光ダイオード電球１１Ｅを起動させて照明を提供させる。
【０１０３】
以上、本考案はこのような実施形態に限定されるものではなく、考案の趣旨を逸脱しない範囲において、種々の形態で実施することができる。
【符号の説明】
【０１０４】
１Ａ        発光ダイオード照明灯
１Ｂ        発光ダイオード照明灯
１Ｃ        発光ダイオード照明灯
１Ｄ        発光ダイオード照明灯
１Ｅ        発光ダイオード照明灯
１１Ａ      照明本体
１１Ｂ      照明本体
１１Ｃ      発光ダイオード照明管
１１Ｄ      発光ダイオード電球
１１Ｅ      発光ダイオード電球
１１１Ｃ    収納空間
１１１Ｄ    収納空間
１１１Ｅ    収納空間
１１１１    位置決め片
１１２Ｃ    電源挿入ピン
１１３Ｄ    口金
１１３Ｅ    口金
１１３１    嵌合部
１１４Ｄ    放熱器
１１４Ｅ    放熱器
１１４１Ｄ  放熱翼片
１１４１Ｅ  放熱翼片
１１５Ｄ    透光カバー
１１５Ｅ    透光カバー
１２Ａ      電池結合手段
１２Ｂ      電池結合手段
１２Ｃ      着脱式の電池ベース
１２Ｄ      着脱式の電池ベース
１２Ｅ      着脱式の電池ベース
１２１      係合爪
１２２      位置決め槽
１３Ａ      電源切換制御回路
１３Ｂ      電源切換制御回路
１３１Ａ    第一電源入力端
１３１Ｂ    第一電源入力端
１３２Ａ    第二電源入力端
１３２Ｂ    第二電源入力端
１３３Ａ    電源出力端
１３３Ｂ    電源出力端
１４Ａ      発光ダイオードライトパネル
１４Ｂ      発光ダイオードライトパネル
１５Ａ      複数の発光ダイオード
１５Ｂ      複数の発光ダイオード
１６Ｂ      人体感応器
１６Ｃ      人体感応器
１６Ｄ      人体感応器
１６Ｅ      人体感応器
１７Ｃ      蓋
７Ａ        切換スイッチ
７Ｂ        切換スイッチ
８Ａ        電池装置
８Ｂ        電池装置
８Ｃ        電池装置
８Ｄ        電池装置
８Ｅ        電池装置
９Ａ        交流電源
９Ｂ        交流電源
【図１】
0003173622.tif 000003
【図２】
0003173622.tif 000004
【図３】
0003173622.tif 000005
【図４】
0003173622.tif 000006
【図５】
0003173622.tif 000007
【図６】
0003173622.tif 000008
【図７】
0003173622.tif 000009
【図８】
0003173622.tif 000010
【図９】
0003173622.tif 000011
【図１０】
0003173622.tif 000012